(57)【要約】【課題】髪が過剰に加熱されて傷むのを防ぐことができ、さらに、安全性を向上させることができるヘアドライヤを提供する。【解決手段】ヘアドライヤは、熱風を吹き出す吹出口を有すると共に、熱風を生成するためのヒータ４および送風ユニット３を有する本体１と、本体１に設けられ、髪の温度を測定する赤外線温度センサ９と、本体１に設けられ、髪までの距離を測定する赤外線近接センサ１０とを備える。赤外線温度センサ９が測定した髪の温度および赤外線近接センサ１０が測定した距離に基づいて、送風ユニット３およびヒータ４のうちの少なくとも一方が制御装置５で制御される。これにより、髪に当たる熱風の温度が熱損傷温度になる可能性が非常に低くなる。【選択図】図１
2012239535.tif 000002
【特許請求の範囲】
【請求項１】
熱風を吹き出す吹出口を有すると共に、上記熱風を生成するためのヒータおよび送風装置を有する本体と、
上記本体に設けられ、髪の温度を測定する温度センサと
を備え、
上記温度センサが測定した髪の温度の高低に応じて、上記送風装置および上記ヒータの少なくとも一方を制御するヘアドライヤにおいて、
上記本体に設けられ、髪までの距離を測定する距離センサと、
上記温度センサが測定した髪の温度および上記距離センサが測定した距離に基づいて、上記送風装置および上記ヒータのうちの少なくとも一方を制御する制御装置と
を備えたことを特徴とするヘアドライヤ。
【請求項２】
請求項１に記載のヘアドライヤにおいて、
上記制御装置は、
上記距離センサが測定した距離が予め設定された第１距離閾値未満であるか否かを判定する第１距離判定手段と、
上記第１距離判定手段によって上記距離が上記第１距離閾値未満であると判定されたときに、上記吹出口が吹き出す熱風の温度が下がるように、上記送風装置および上記ヒータのうちの少なくとも一方を制御する第１熱風制御手段と
を有することを特徴とするヘアドライヤ。
【請求項３】
請求項２に記載のヘアドライヤにおいて、
上記第１熱風制御手段は、上記第１距離判定手段によって上記距離が上記第１距離閾値未満であると判定されたときに、上記吹出口が吹き出す熱風の温度を予め設定された低温に固定することを特徴とするヘアドライヤ。
【請求項４】
請求項２または３に記載のヘアドライヤにおいて、
上記制御装置は、
上記温度センサが測定した温度が予め設定された温度閾値以上であるか否かを判定する温度判定手段と、
上記温度判定手段によって上記温度が上記温度閾値以上であると判定されたときに、上記吹出口が吹き出す熱風の温度が下がるように、上記送風装置および上記ヒータのうちの少なくとも一方を制御する第２熱風制御手段と
を有することを特徴とするヘアドライヤ。
【請求項５】
請求項４に記載のヘアドライヤにおいて、
上記制御装置は、
上記第１距離判定手段によって上記距離が上記第１距離閾値未満であると判定されたときに、上記温度閾値をこの温度閾値よりも低い値に変更する第１温度閾値変更手段
を有することを特徴とするヘアドライヤ。
【請求項６】
請求項４または５に記載のヘアドライヤにおいて、
上記第２熱風制御手段は、上記温度判定手段によって上記温度が上記温度閾値以上であると判定されたときに、上記吹出口が吹き出す熱風の温度を予め設定された低温に固定することを特徴とするヘアドライヤ。
【請求項７】
請求項４から６までのいずれか一項に記載のヘアドライヤにおいて、
上記制御装置は、
上記距離センサが測定した距離が予め設定された第２距離閾値以上であるか否かを判定する第２距離判定手段と、
上記第２距離判定手段によって上記距離が上記第２距離閾値以上であると判定されたときに、上記吹出口が吹き出す熱風の温度が上がるように、上記送風装置および上記ヒータのうちの少なくとも一方を制御する第３熱風制御手段と
を有することを特徴とするヘアドライヤ。
【請求項８】
請求項７に記載のヘアドライヤにおいて、
上記制御装置は、
上記第２距離判定手段によって上記距離が上記第２距離閾値以上であると判定されたときに、上記温度閾値をこの温度閾値よりも高い値に変更する第２温度閾値変更手段
を有することを特徴とするヘアドライヤ。
【請求項９】
請求項７または８に記載のヘアドライヤにおいて、
上記第３熱風制御手段は、上記第２距離判定手段によって上記距離が上記第２距離閾値以上であると判定されたときに、上記吹出口が吹き出す熱風の温度を予め設定された高温に固定することを特徴とするヘアドライヤ。
【請求項１０】
請求項１から９までのいずれか一項に記載のヘアドライヤにおいて、
上記距離センサは近接センサであることを特徴とするヘアドライヤ。
【請求項１１】
請求項１０に記載のヘアドライヤにおいて、
上記温度センサは、髪が発する赤外線を検出する赤外線温度センサであり、
上記近接センサは、髪に向けて赤外線を発し、上記髪で反射された赤外線を検出する赤外線近接センサであり、
上記赤外線温度センサの検出すべき赤外線の波長を有する赤外線のみを透過させる透過部材を備えたことを特徴とするヘアドライヤ。
【発明の詳細な説明】
【技術分野】
【０００１】
本発明はヘアドライヤに関する。
【背景技術】
【０００２】
従来、ヘアドライヤとしては、図６に示すようなヘアドライヤ１００がある（例えば特開平６−３８８２７号公報（特許文献１）参照）。このヘアドライヤ１００は、熱風ＨＷを吹き出す吹出口１０１と、髪の温度を非接触で測定する温度センサ１０２とを備え、この温度センサ１０２が測定した髪の温度に基づいて熱風ＨＷの温度・風量を調節するものである。
【０００３】
上記温度センサ１０２は吹出口１０１よりも下側に設置されている。このため、上記温度センサ１０２には、温度測定ポイントＰの髪から斜め下方に放射された放射エネルギがレンズ１０３を介して入射するようになっている。その結果、上記放射エネルギがレンズ１０３に向かう方向は、吹出口１０１が熱風ＨＷを吹き出す方向と一致していない。
【０００４】
上記従来のヘアドライヤによれば、吹出口１０１からユーザ１０４までの距離が図６の所定距離であれば、温度測定ポイントＰが熱風ＨＷの流路内に位置する。これにより、上記温度測定ポイントＰの温度に基づいて熱風ＨＷの温度・風量を調節して、髪が熱風ＨＷで過剰に加熱されるのを防ぐことができる。
【先行技術文献】
【特許文献】
【０００５】
【特許文献１】特開平６−３８８２７号公報
【発明の概要】
【発明が解決しようとする課題】
【０００６】
しかしながら、図７に示すように、吹出口１０１からユーザ１０４までの距離が上記所定距離よりも近くなると、温度測定ポイントＰが熱風ＨＷの流路外に出てしまう。その結果、上記熱風ＨＷが当たっている髪の温度を測定できないため、髪が熱風ＨＷで過剰に加熱されていても、熱風ＨＷの温度・風量は下がらない。
【０００７】
したがって、上記従来のドライヤ１００には、髪が過剰に加熱されて傷んでしまうことがあるという問題がある。
【０００８】
また、図７の状態で、熱風ＨＷが肌に当たれば、ユーザ１０４が火傷する可能性もある。したがって、上記従来のヘアドライヤは安全面で改善の余地がある。
【０００９】
そこで、本発明の課題は、髪が過剰に加熱されて傷むのを防ぐことができ、さらに、安全性を向上させることができるヘアドライヤを提供することにある。
【００１０】
なお、図７，図８は、上記特許文献１の問題を理解し易くするため、特許文献１の図面に基づいて作成した模式図である。
【課題を解決するための手段】
【００１１】
上記課題を解決するため、本発明のヘアドライヤは、
熱風を吹き出す吹出口を有すると共に、上記熱風を生成するためのヒータおよび送風装置を有する本体と、
上記本体に設けられ、髪の温度を測定する温度センサと
を備え、
上記温度センサが測定した髪の温度の高低に応じて、上記送風装置および上記ヒータの少なくとも一方を制御するヘアドライヤにおいて、
上記本体に設けられ、髪までの距離を測定する距離センサと、
上記温度センサが測定した髪の温度および上記距離センサが測定した距離に基づいて、上記送風装置および上記ヒータのうちの少なくとも一方を制御する制御装置と
を備えたことを特徴としている。
【００１２】
上記構成によれば、上記本体のヒータおよび送風装置で熱風を生成し、この熱風が本体の吹出口から髪に向けて吹き出される。このとき、上記本体に設けられた距離センサが髪までの距離を測定する。そして、上記制御装置が、上記温度および上記距離に基づいて、送風装置およびヒータのうちの少なくとも一方を制御するので、髪に当たる熱風の温度が髪を傷める温度（以下、「熱損傷温度」と言う。）になる可能性を格別に低くすることができる。したがって、上記髪が過剰に加熱されて傷むのを防ぐ効果を著しく高めることができる。
【００１３】
また、上記髪に当たる熱風の温度が熱損傷温度にならないようにすることにより、ユーザが熱風で火傷するのを防ぐことができる。したがって、上記ヘアドライヤの安全性を向上させることができる。
【００１４】
一実施形態のヘアドライヤでは、
上記制御装置は、
上記距離センサが測定した距離が予め設定された第１距離閾値未満であるか否かを判定する第１距離判定手段と、
上記第１距離判定手段によって上記距離が上記第１距離閾値未満であると判定されたときに、上記吹出口が吹き出す熱風の温度が下がるように、上記送風装置および上記ヒータのうちの少なくとも一方を制御する第１熱風制御手段と
を有する。
【００１５】
上記実施形態によれば、上記第１距離判定手段は、距離センサが測定した距離が予め設定された第１距離閾値未満であるか否かを判定する。ここで、上記距離センサが測定した距離が予め設定された第１距離閾値未満であると判定されたときに、第１熱風制御手段が、吹出口が吹き出す熱風の温度が下がるように、送風装置およびヒータのうちの少なくとも一方を制御するので、髪の損傷およびユーザの火傷の可能性を確実に低減することができる。
【００１６】
一実施形態のヘアドライヤでは、
上記第１熱風制御手段は、上記第１距離判定手段によって上記距離が上記第１距離閾値未満であると判定されたときに、上記吹出口が吹き出す熱風の温度を予め設定された低温に固定する。
【００１７】
上記実施形態によれば、上記第１距離判定手段によって距離が第１距離閾値未満であると判定されたときに、第１熱風制御手段が、吹出口が吹き出す熱風の温度を予め設定された低温に固定するので、髪が過剰加熱で傷んだり、ユーザが火傷したりするのを防げる状態を維持できる。
【００１８】
一実施形態のヘアドライヤでは、
上記制御装置は、
上記温度センサが測定した温度が予め設定された温度閾値以上であるか否かを判定する温度判定手段と、
上記温度判定手段によって上記温度が上記温度閾値以上であると判定されたときに、上記吹出口が吹き出す熱風の温度が下がるように、上記送風装置および上記ヒータのうちの少なくとも一方を制御する第２熱風制御手段と
を有する。
【００１９】
上記実施形態によれば、上記温度判定手段は、温度センサが測定した温度が予め設定された温度閾値以上であるか否かを判定する。ここで、上記温度センサが測定した温度が予め設定された温度閾値以上であると判定されたときに、第２熱風制御手段が、吹出口が吹き出す熱風の温度が下がるように、送風装置およびヒータのうちの少なくとも一方を制御するので、髪の損傷およびユーザの火傷の可能性をさらに低減することができる。
【００２０】
一実施形態のヘアドライヤでは、
上記制御装置は、
上記第１距離判定手段によって上記距離が上記第１距離閾値未満であると判定されたときに、上記温度閾値をこの温度閾値よりも低い値に変更する第１温度閾値変更手段
を有する。
【００２１】
上記実施形態によれば、上記第１距離判定手段によって、距離センサが測定した距離が予め設定された第１距離閾値未満であると判定されたときに、第１温度閾値変更手段が、上記温度閾値をこの温度閾値よりも低い値に変更することにより、吹出口が吹き出す熱風の温度が下がり易くなる。したがって、上記髪の損傷およびユーザの火傷の可能性が非常に低くなる。
【００２２】
一実施形態のヘアドライヤでは、
上記第２熱風制御手段は、上記温度判定手段によって上記温度が上記温度閾値以上であると判定されたときに、上記吹出口が吹き出す熱風の温度を予め設定された低温に固定する。
【００２３】
上記実施形態によれば、上記温度判定手段によって温度が温度閾値以上であると判定されたときに、第２熱風制御手段が、吹出口が吹き出す熱風の温度を予め設定された低温に固定するので、髪が過剰加熱で傷んだり、ユーザが火傷したりするのを防げる状態を維持できる。
【００２４】
一実施形態のヘアドライヤでは、
上記制御装置は、
上記距離センサが測定した距離が予め設定された第２距離閾値以上であるか否かを判定する第２距離判定手段と、
上記第２距離判定手段によって上記距離が上記第２距離閾値以上であると判定されたときに、上記吹出口が吹き出す熱風の温度が上がるように、上記送風装置および上記ヒータのうちの少なくとも一方を制御する第３熱風制御手段と
を有する。
【００２５】
上記実施形態によれば、上記第２距離判定手段は、距離センサが測定した距離が予め設定された第２距離閾値以上であるか否かを判定する。ここで、上記距離センサが測定した距離が予め設定された第２距離閾値以上であると判定されたときに、第３熱風制御手段が、吹出口が吹き出す熱風の温度が上がるように、送風装置およびヒータのうちの少なくとも一方を制御するので、ユーザの安全性を確保しつつ、髪が乾く時間を短くすることができる。
【００２６】
一実施形態のヘアドライヤでは、
上記制御装置は、
上記第２距離判定手段によって上記距離が上記第２距離閾値以上であると判定されたときに、上記温度閾値をこの温度閾値よりも高い値に変更する第２温度閾値変更手段
を有する。
【００２７】
上記実施形態によれば、上記第２距離判定手段によって距離が第２距離閾値以上であると判定されたときに、第２温度閾値変更手段が、温度閾値をこの温度閾値よりも高い値に変更するので、吹出口が吹き出す熱風の温度が上がり難くなる。したがって、上記髪の損傷およびユーザの火傷の可能性が非常に低くなる。
【００２８】
一実施形態のヘアドライヤでは、
上記第３熱風制御手段は、上記第２距離判定手段によって上記距離が上記第２距離閾値以上であると判定されたときに、上記吹出口が吹き出す熱風の温度を予め設定された高温に固定する。
【００２９】
上記実施形態によれば、上記第２距離判定手段によって距離が第２距離閾値以上であると判定されたときに、第３熱風制御手段が、吹出口が吹き出す熱風の温度を予め設定された高温に固定するので、ユーザの安全性を確保しつつ、髪が乾く時間を短くできる状態を維持できる。
【００３０】
一実施形態のヘアドライヤでは、
上記距離センサは近接センサである。
【００３１】
上記実施形態によれば、上記距離センサは近接センサであるので、制御が複雑にならず、製造コストの上昇を抑制できる。
【００３２】
一実施形態のヘアドライヤは、
上記温度センサは、髪が発する赤外線を検出する赤外線温度センサであり、
上記近接センサは、髪に向けて赤外線を発し、上記髪で反射された赤外線を検出する赤外線近接センサであり、
上記赤外線温度センサの検出すべき赤外線の波長を有する赤外線のみを透過させる透過部材を備えている。
【００３３】
上記実施形態によれば、上記赤外線温度センサの検出すべき赤外線の波長を有する赤外線のみを透過させる透過部材を備えているので、赤外線温度センサの誤測定を低減できる。
【発明の効果】
【００３４】
本発明のヘアドライヤによれば、本体に設けられ、髪の温度を測定する温度センサと、本体に設けられ、髪までの距離を測定する距離センサと、温度センサが測定した髪の温度および距離センサが測定した距離に基づいて、送風装置およびヒータのうちの少なくとも一方を制御する制御装置とを備えるので、温度センサから髪までの距離が、温度センサが測定する髪の温度の信頼性が比較的低くなる距離であっても、髪に当たる熱風の温度が熱損傷温度になる可能性が非常に低く、髪が過剰に加熱されて傷むのを防ぐ効果を格段に高めることができる。
【００３５】
また、上記髪に当たる熱風の温度が熱損傷温度にならないようにすることにより、ユーザが熱風で火傷するのを防ぐことができる。したがって、上記ヘアドライヤの安全性を向上させることができる。
【図面の簡単な説明】
【００３６】
【図１】図１は本発明の第１実施形態のヘアドライヤの構成図である。
【図２】図２は上記第１実施形態のヘアドライヤの制御ブロック図である。
【図３】図３は上記第１実施形態のヘアドライヤの熱風の制御方法のフローチャートである。
【図４Ａ】図４Ａは本発明の第２実施形態のヘアドライヤの熱風の制御方法のフローチャートである。
【図４Ｂ】図４Ｂは本発明の第２実施形態のヘアドライヤの熱風の制御方法のフローチャートである。
【図５】図５は本発明の第３実施形態のヘアドライヤの構成図である。
【図６】図６は従来のヘアドライヤの問題を説明するための模式図である。
【図７】図７は従来のヘアドライヤの問題を説明するための模式図である。
【発明を実施するための形態】
【００３７】
以下、本発明のヘアドライヤを図示の実施形態により詳細に説明する。
【００３８】
〔第１実施形態〕
図１に、本発明の第１実施形態のヘアドライヤの構成図を模式的に示す。
【００３９】
上記ヘアドライヤは、本体１と、一方の端部が本体１に回動自在に取り付けられたグリップ２とを備えている。
【００４０】
上記本体１内には、送風装置の一例としての送風ユニット３と、この送風ユニット３が起こした風を加熱して熱風にするヒータ４と、マイコン６およびＳＳＲ（ソリッドステートリレ）７を有する制御装置５とが設置されている。また、上記本体１の前端部には、前側に向かって先細りの吹出口８が設けられている。この吹出口８は熱風の吹き出し方向に対して傾斜する外面を有し、温度センサの一例としての赤外線温度センサ９が上記外面に取り付けられている。また、上記吹出口８内には距離センサの一例としての赤外線近接センサ１０が設置されている。
【００４１】
上記送風ユニット３は、図示しないが、ファンと、このファンを回転駆動するモータとを有している。このファンの回転駆動により、本体１外の空気が本体１内に吸い込まれてヒータ４へ送られる。
【００４２】
上記赤外線温度センサ９では、ユーザの髪や肌などから放射される例えば波長８〜１４μｍの赤外線がレンズ１１を通過することにより、サーモパイル１２で焦点を結ぶようになっている。上記サーモパイル１２で生じる電圧に基づいて、ユーザの髪や肌などの温度が検出される。この温度を示す信号がマイコン６に入力される。
【００４３】
上記赤外線近接センサ１０は１００℃以上の環境下でも使用可能な耐熱タイプである。より詳しくは、上記赤外線近接センサ１０は、波長０．８μｍ付近の赤外線をユーザの髪，皮膚に向けて発する発光素子１３と、ユーザの髪，皮膚で反射された赤外線を受けて電力に変換する受光素子１４とを有する。この受光素子１４で変換された電力に基づいて、赤外線近接センサ１０とユーザの髪，皮膚と間の距離に関する情報が検出される。このとき、上記赤外線近接センサ１０とユーザの髪，皮膚との間の距離が、予め設定された距離閾値ＤＴＬ（例えば１０ｃｍ）未満であれば、１を示す信号が赤外線近接センサ１０からマイコン６に出力される。一方、上記赤外線近接センサ１０とユーザの髪，皮膚との間の距離が距離閾値ＤＴＬ以上であれば、１を示す信号が赤外線近接センサ１０からマイコン６に出力されない。なお、上記距離閾値ＤＴＬは、予め設定された値であり、第１距離閾値，第２距離閾値の一例である。
【００４４】
図２に、上記ヘアドライヤの制御ブロック図を示す。
【００４５】
上記制御装置５は、マイコン６やＳＳＲ７の他に、図示しない送風ファン駆動回路なども有している。この制御装置５には、送風ユニット３，ヒータ４，赤外線温度センサ９，操作部１５，表示部１６，赤外線近接センサ１０などが接続されている。また、上記マイコン６は、操作部１５からの操作信号や、赤外線温度センサ９,赤外線近接センサ１０からの信号に基づいて、ＳＳＲ７を介してヒータ４を制御したり、送風ファン駆動回路を介して送風ユニット３を制御したりする。上記操作部１５は、グリップ２に設けたつまみまたはボタンからなる。また、上記表示部１６は、グリップ２に設けられた単数または複数のＬＥＤ（発光ダイオード）からなる。
【００４６】
以下、上記赤外線温度センサ９を用いた熱風の制御方法を図３のフローチャートに従って説明する。
【００４７】
まず、ユーザが操作部１５に運転操作を行うと、図３に示すように、制御装置５による処理がスタートして、ステップＳ１０１で、ヒータ４，送風ユニット３をＯＮ（オン）にする。このとき、上記ヒータ４の出力は例えば１２００Ｗに設定される。
【００４８】
次に、ステップＳ１０２で、赤外線温度センサ９が測定した髪の温度Ｔが予め設定された温度閾値ＴＴＬ（例えば６０℃）以上であるか否かを判定する。このステップＳ１０２で、上記温度Ｔが予め設定された温度閾値ＴＴＬ以上であると判定されたなら、ステップＳ１０２に進む。一方、上記ステップＳ１０２で、上記温度Ｔが予め設定された温度閾値ＴＴＬ以上でないと判定されたなら、ステップＳ１１１に進む。
【００４９】
上記ステップＳ１１１では、赤外線近接センサ１０が測定した、赤外線近接センサ１０と髪との間の距離Ｄが、予め設定された距離閾値ＤＴＬ（例えば１０ｃｍ）未満であるか否かを判定する。このステップＳ１１１で、上記距離Ｄが予め設定された距離閾値ＤＴＬ未満であると判定されたなら、ステップＳ１０３に進む。一方、上記ステップＳ１１１で、上記距離Ｄが距離閾値ＤＴＬ未満でないと判定されたなら、ステップＳ１０２に戻る。
【００５０】
次に、ステップＳ１０３で、ヒータ４の温度を下げる。具体的には、上記ヒータ４の出力が例えば８００Ｗとなるように、ＳＳＲ７の接続を切り換えて、吹出口８が吹き出す熱風の温度を予め設定された低温に固定する。
【００５１】
次に、ステップＳ１０４で、赤外線近接センサ１０が測定した、赤外線近接センサ１０と髪との間の距離Ｄが、距離閾値ＤＴＬ以上であるか否かを判定する。このステップＳ１０４で、上記距離Ｄが距離閾値ＤＴＬ以上であると判定されたなら、ステップＳ１０５に進む一方、上記距離Ｄが距離閾値ＤＴＬ以上でないと判定されたなら、再度、ステップＳ１０４が行われる。すなわち、上記ステップＳ１０４は、上記距離Ｄが距離閾値ＤＴＬ以上であると判定されるまで繰り返される。
【００５２】
次に、ステップＳ１０５で、ヒータ４の温度を上げる。具体的には、上記ヒータ４の出力が例えば１２００Ｗとなるように、ＳＳＲ７の接続を切り換えて、吹出口８が吹き出す熱風の温度を予め設定された高温に固定する。
【００５３】
次に、ステップＳ１０６で、ユーザが操作部１５に停止操作を行ったか否かを判定する。このステップＳ１０６で、ユーザが操作部１５に停止操作を行ったと判定されると、ステップＳ１０７に進む。一方、上記ステップＳ１０６で、ユーザが操作部１５に停止操作を行っていないと判定されると、ステップＳ１０２に戻る。
【００５４】
最後に、ステップＳ１０７で、ヒータ４，送風ユニット３をＯＦＦ（オフ）にして、制御装置５による処理が終了する。
【００５５】
すなわち、上記第１実施形態においては、ステップＳ１０２が温度判定手段の一例で、ステップＳ１０３が第１熱風制御手段，第２熱風制御手段の一例で、ステップＳ１０４が第２距離判定手段の一例で、ステップＳ１０５が第３熱風制御手段の一例で、ステップＳ１１１が第１距離制御手段の一例である。
【００５６】
このように、上記ステップＳ１１１で、赤外線近接センサ１０と髪との間の距離Ｄが予め設定された距離閾値ＤＴＬ未満であると判定した場合、ステップＳ１０３で、吹出口８が吹き出す熱風の温度を予め設定された低温に固定するので、髪が過剰に加熱されて傷むのを防ぐことができる。
【００５７】
また、上記吹出口８が吹き出す熱風の温度を予め設定された低温に固定するので、髪が過剰加熱で傷んだり、ユーザが火傷したりするのを防げる状態を維持できる。
【００５８】
また、上記赤外線近接センサ１０と髪との間の距離Ｄが予め設定された距離閾値ＤＴＬ未満であるか否かに関係なく、ステップＳ１０２で、髪の温度Ｔが予め設定された温度閾値ＴＴＬ以上であると判定すれば、ステップＳ１０３で、吹出口８が吹き出す熱風の温度を予め設定された低温に固定するので、髪の損傷およびユーザの火傷の可能性を低減することができる。
【００５９】
また、上記ステップＳ１０３で、吹出口８が吹き出す熱風の温度を予め設定された低温に固定しても、ステップＳ１０４で、赤外線近接センサ１０と髪との間の距離Ｄが予め設定された距離閾値ＤＴＬ以上であると判定すれば、ステップＳ１０５で、吹出口８が吹き出す熱風の温度を予め設定された高温に固定するので、ユーザの安全性を確保しつつ、髪が乾く時間を短くすることができる。
【００６０】
また、上記赤外線近接センサ１０と髪との間の距離Ｄの測定に赤外線近接センサ１０を用いるので、制御が複雑にならず、製造コストの上昇を抑制できる。
【００６１】
上記第１実施形態では、ステップＳ１０３で、吹出口８が吹き出す熱風の温度が下がるように、ヒータ４のみを制御していたが、吹出口８が吹き出す熱風の温度が下がるように、ヒータ４および送風ユニット３を制御してもよいし、あるいは、吹出口８が吹き出す熱風の温度が下がるように、送風ユニット３のみを制御してもよい。
【００６２】
上記第１実施形態では、ステップＳ１０５で、吹出口８が吹き出す熱風の温度が上がるように、ヒータ４のみを制御していたが、吹出口８が吹き出す熱風の温度が上がるように、ヒータ４および送風ユニット３を制御してもよいし、あるいは、吹出口８が吹き出す熱風の温度が上がるように、送風ユニット３のみを制御してもよい。
【００６３】
上記第１実施形態では、ステップＳ１０４で、ステップＳ１１１の距離閾値ＤＴＬと同じ距離閾値ＤＴＬを用いていたが、ステップＳ１１１の距離閾値ＤＴＬと異なる距離閾値を用いてもよい。
【００６４】
〔第２実施形態〕
本発明の第２実施形態のヘアドライヤは、第１実施形態と同様に、送風ユニット３、ヒータ４、制御装置５、赤外線温度センサ９、赤外線近接センサ１０および操作部１５などを備えるが、上記第１実施形態とは異なる熱風の制御方法を行う。
【００６５】
以下、上記ヘアドライヤが行う熱風の制御方法を図４Ａ，図４Ｂのフローチャートに従って説明する。
【００６６】
まず、ユーザが操作部１５に運転操作を行うと、図４Ａに示すように、制御装置５による処理がスタートして、ステップＳ２０１で、ヒータ４，送風ユニット３をＯＮにする。このとき、上記ヒータ４の出力は例えば１２００Ｗに設定される。
【００６７】
次に、ステップＳ２０２で、赤外線近接センサ１０が測定した、赤外線近接センサ１０と髪との間の距離Ｄが予め設定された距離閾値ＤＴＬ（例えば１０ｃｍ）未満であるか否かを判定する。このステップＳ２０２で、上記距離Ｄが距離閾値ＤＴＬ未満であると判定されたなら、図４ＢのステップＳ２１１に進む。一方、上記ステップＳ２０２で、上記距離Ｄが距離閾値ＤＴＬ未満でないと判定されたなら、図４ＡのステップＳ２０３に進む。
【００６８】
以下、上記ステップＳ２０２から図４ＡのステップＳ２０３に進んだ場合について説明する。
【００６９】
上記ステップＳ２０３では、赤外線温度センサ９が測定した髪の温度Ｔが予め設定された温度閾値ＴＴＬ（例えば６０℃）以上であるか否かを判定する。このステップＳ２０３で、上記温度Ｔが温度閾値ＴＴＬ以上であると判定されたなら、ステップＳ２０４に進む。一方、上記ステップＳ２０３で、上記温度Ｔが上記温度閾値ＴＴＬ以上でないと判定されたなら、ステップＳ２０２に戻る。
【００７０】
次に、ステップＳ２０４で、ヒータ４の温度を下げる。具体的には、上記ヒータ４の出力が例えば８００Ｗとなるように、ＳＳＲ７の接続を切り換えて、吹出口８が吹き出す熱風の温度を予め設定された低温に固定する。
【００７１】
次に、ステップＳ２０５で、赤外線温度センサ９が測定した髪の温度Ｔが上記温度閾値ＴＴＬ未満であるか否かを判定する。このステップＳ２０５で、上記温度Ｔが温度閾値ＴＴＬ未満であると判定されたなら、ステップＳ２０６に進む一方、上記温度Ｔが温度閾値ＴＴＬ未満でないと判定されたなら、再度、ステップＳ２０５が行われる。すなわち、上記温度Ｔが温度閾値ＴＴＬ未満であると判定されるまで、ステップＳ２０５が繰り返される。
【００７２】
次に、ステップＳ２０６で、ヒータ４の温度を上げる。具体的には、上記ヒータ４の出力が例えば１２００Ｗとなるように、ＳＳＲ７の接続を切り換えて、吹出口８が吹き出す熱風の温度を予め設定された高温に固定する。
【００７３】
次に、ステップＳ２０７で、ユーザが操作部１５に停止操作を行ったか否かを判定する。このステップＳ２０７で、ユーザが操作部１５に停止操作を行ったと判定されると、ステップＳ２０８に進む。一方、上記ステップＳ２０７で、ユーザが操作部１５に停止操作を行っていないと判定されると、ステップＳ２０２に戻る。
【００７４】
最後に、ステップＳ２０８で、ヒータ４，送風ユニット３をＯＦＦ（オフ）にして、制御装置５による処理が終了する。
【００７５】
以下、上記ステップＳ２０２から図４ＢのステップＳ２１１に進んだ場合について説明する。
【００７６】
上記ステップＳ２１１では、上記温度閾値ＴＴＬを低い温度閾値Ｔ’ＴＬ（例えば５０℃）に変更する。
【００７７】
次に、ステップＳ２１２で、赤外線温度センサ９が測定した髪の温度Ｔが変更後の温度閾値Ｔ’ＴＬ以上であるか否かを判定する。このステップＳ２１２で、上記温度Ｔが変更後の温度閾値Ｔ’ＴＬ以上であると判定されたなら、ステップＳ２１３に進む。一方、上記ステップＳ２１２で、上記温度Ｔが変更後の温度閾値Ｔ’ＴＬ以上でないと判定されたなら、ステップＳ２１３を跳ばしてステップＳ２１４に進む。
【００７８】
次に、ステップＳ２１３で、ヒータ４の温度を下げる。具体的には、上記ヒータ４の出力が例えば８００Ｗとなるように、ＳＳＲ７の接続を切り換えて、吹出口８が吹き出す熱風の温度を予め設定された低温に固定する。
【００７９】
次に、ステップＳ２１４で、赤外線近接センサ１０が測定した、赤外線近接センサ１０と髪との間の距離Ｄが距離閾値ＤＴＬ以上であるか否かを判定する。このステップＳ２１４で、上記距離Ｄが距離閾値ＤＴＬ以上であると判定されたなら、ステップＳ２１５に進む。一方、上記ステップＳ２１４で、上記距離Ｄが距離閾値ＤＴＬ以上でないと判定されたなら、ステップＳ２１２に戻る。
【００８０】
次に、ステップＳ２１５で、上記温度閾値Ｔ’ＴＬを元の温度閾値ＴＴＬに変更した後、図４ＡのステップＳ２０５に進む。
【００８１】
すなわち、上記第２実施形態では、ステップＳ２０２は第１距離判定手段の一例で、ステップＳ２０３は温度判定手段の一例で、ステップＳ２０４は第２熱風制御手段の一例で、ステップＳ２０６は第３熱風制御手段の一例で、ステップＳ２１１は第１温度閾値変更手段の一例で、ステップＳ２１３は第１熱風制御手段，第２熱風制御手段の一例で、ステップＳ２１４は第２距離判定手段の一例で、ステップＳ２１５は第２温度閾値変更手段の一例である。
【００８２】
このように、上記ステップＳ２０２で、赤外線近接センサ１０と髪との間の距離Ｄが予め設定された距離閾値ＤＴＬ未満であると判定した場合、ステップＳ２１２で、髪の温度Ｔが温度閾値Ｔ’ＴＬ以上であると判定すれば、ステップＳ２１３で、吹出口８が吹き出す熱風の温度が予め設定された低温に固定されるので、髪が過剰に加熱されて傷むのを防ぐことができる。
【００８３】
また、上記吹出口８が吹き出す熱風の温度を予め設定された低温に固定するので、髪が過剰加熱で傷んだり、ユーザが火傷したりするのを防げる状態を維持できる。
【００８４】
また、上記ステップＳ２０１とステップＳ２１２の間のステップＳ２１１で、温度閾値ＴＴＬを温度閾値Ｔ’ＴＬ（＜ＴＴＬ）に変更するので、吹出口８が吹き出す熱風の温度が下がり易くなる。したがって、ユーザが熱風で火傷する危険性を小さくすることができる。
【００８５】
また、上記ステップＳ２１３で、吹出口８が吹き出す熱風の温度を予め設定された低温に固定しても、ステップＳ２１４で、赤外線近接センサ１０と髪との間の距離Ｄが距離閾値ＤＴＬ以上であると判定し、かつ、ステップＳ２０５で、髪の温度Ｔが温度閾値ＴＴＬ未満であると判定すれば、ステップＳ２０６で、吹出口８が吹き出す熱風の温度は予め設定された高温に固定される。したがって、ユーザの安全性を確保しつつ、髪が乾く時間を短くすることができる。
【００８６】
また、上記ステップＳ２１４とステップＳ２０５の間のステップＳ２１５で、温度閾値Ｔ’ＴＬが元の温度閾値ＴＴＬ（＞Ｔ’ＴＬ）に変更されるので、吹出口８が吹き出す熱風の温度が上がり難くなる。したがって、ユーザが熱風で火傷する危険性を小さくすることができる。
【００８７】
また、上記赤外線近接センサ１０と髪との間の距離Ｄが予め設定された距離閾値ＤＴＬ未満でなくても、ステップＳ２０３で、髪の温度が予め設定された温度閾値ＴＴＬ以上であると判定すれば、ステップＳ２０４で、吹出口８が吹き出す熱風の温度が予め設定された低温に固定するので、髪の損傷およびユーザの火傷の可能性を低減することができる。
【００８８】
また、上記ステップＳ２０４で、吹出口８が吹き出す熱風の温度が予め設定された低温に固定しても、ステップＳ２０５で、髪の温度Ｔが温度閾値ＴＴＬ未満であると判定すれば、ステップＳ２０６で、吹出口８が吹き出す熱風の温度が予め設定された高温に固定されるので、ユーザの安全性を確保しつつ、髪が乾く時間を短くすることができる。
【００８９】
また、上記本体１の前端からユーザの髪，皮膚までの距離の測定に赤外線近接センサ１０を用いるので、制御が複雑にならず、製造コストの上昇を抑制できる。
【００９０】
上記第２実施形態では、ステップＳ２０４，Ｓ２１３で、吹出口８が吹き出す熱風の温度が下がるように、ヒータ４のみを制御していたが、吹出口８が吹き出す熱風の温度が下がるように、ヒータ４および送風ユニット３を制御してもよいし、あるいは、吹出口８が吹き出す熱風の温度が下がるように、送風ユニット３のみを制御してもよい。
【００９１】
上記第２実施形態では、ステップＳ２０６で、吹出口８が吹き出す熱風の温度が上がるように、ヒータ４のみを制御していたが、吹出口８が吹き出す熱風の温度が上がるように、ヒータ４および送風ユニット３を制御してもよいし、あるいは、吹出口８が吹き出す熱風の温度が上がるように、送風ユニット３のみを制御してもよい。
【００９２】
上記第２実施形態では、ステップＳ２１４で、ステップＳ２０２と同じ距離閾値ＤＴＬを用いていたが、ステップＳ２０２とは異なる距離閾値を用いてもよい。
【００９３】
〔第３実施形態〕
図５に、本発明の第３実施形態のヘアドライヤの構成図を模式的に示す。
【００９４】
上記ヘアドライヤは、透過部材の一例である光学フィルタ１７を備えている点のみが、第１実施形態のヘアドライヤと異なっている。したがって、図５において、図１に示したヘアドライヤの構成部と同一構成部は、図１における構成部と同一参照番号を付して説明を省略する。
【００９５】
上記光学フィルタ１７は赤外線温度センサ９の前方に配置されている。この光学フィルタ１７は赤外線温度センサ９の検出すべき赤外線の波長を有する赤外線（例えば波長８〜１４μｍの赤外線）のみを透過させる。
【００９６】
上記構成によれば、赤外線温度センサ９の検出すべき赤外線の波長を有する赤外線のみが光学フィルタ１７を通って、赤外線温度センサ９に入射するので、赤外線温度センサ９の誤測定を低減することができる。
【００９７】
上記第１〜第３実施形態において、赤外線近接センサ１０が測定した、赤外線近接センサ１０と髪との間の距離Ｄが、例えば３０ｃｍ以上になった場合、吹出口８が吹き出す熱風の温度を下げる制御を行わないようにしてもよい。
【００９８】
上記第１〜第３実施形態の赤外線近接センサ１０に換えて、赤外線近接センサ１０以外の近接センサ（例えば可視光線を利用する近接センサ）を用いてもよい。また、近接センサでなくても、髪までの距離を測定できる距離センサであれば、赤外線近接センサ１０の換わりに用いてもよい。
【００９９】
上記第１〜第３実施形態の赤外線温度センサ９に換えて、赤外線温度センサ９以外の非接触式の温度センサを用いてもよい。
【０１００】
本発明の具体的な実施形態について説明したが、この発明は上記実施形態に限定されるものではなく、本発明の範囲内で種々変更して実施することができる。
【符号の説明】
【０１０１】
１…本体
２…グリップ
３…送風ユニット
４…ヒータ
５…制御装置
６…マイコン
７…ＳＳＲ
８…吹出口
９…赤外線温度センサ
１０…赤外線近接センサ
１１…レンズ
１２…サーモパイル
１３…発光素子
１４…受光素子
１５…操作部
１６…表示部
１７…光学フィルタ
【図１】
2012239535.tif 000003
【図２】
2012239535.tif 000004
【図３】
2012239535.tif 000005
【図４Ａ】
2012239535.tif 000006
【図４Ｂ】
2012239535.tif 000007
【図５】
2012239535.tif 000008
【図６】
2012239535.tif 000009
【図７】
2012239535.tif 000010